(57)【特許請求の範囲】
【請求項１】
薬液カートリッジが装填される注射器本体と、前記注射針本体の先端側に設けられて注射針が取り付けられる注射針取付部と、前記注射針本体の後端側に設けられて前記薬液カートリッジ内のラバーピストンを押動するためのプランジャーおよびハンドルを備える注射器であって、
前記注射器本体には、前記注射針が血管に刺入されていないかを確認する血液吸引テストを行うための血液吸引テスト用部材が装着されており、
前記血液吸引テスト用部材は、
前記注射器本体に装填された前記薬液カートリッジの前端部を支持するカートリッジ支持部と、
前記カートリッジ支持部から前記薬液カートリッジの軸線方向に延出されたレバー部と、
前記レバー部の後端部から前記注射器本体の外表面に突出され、前記薬液カートリッジを後方側に引くための操作部とを有する注射器。
【請求項２】
前記血液吸引テスト用部材の前記カートリッジ支持部が、前記薬液カートリッジのカートリッジ頭部の前端面に当接する円形平板状に形成されており、その略中央部に挿通孔が形成されている請求項１に記載の注射器。
【請求項３】
前記血液吸引テスト用部材の前記カートリッジ支持部が、前記薬液カートリッジのカートリッジ頭部とカートリッジ本体との間の首部に係止する鉤爪状あるいは二股状に形成されている請求項１に記載の注射器。
【請求項４】
前記血液吸引テスト用部材は、前記レバー部の略中央から前記注射器本体の外表面に突出された中間操作部を有している請求項１から請求項３のいずれかに記載の注射器。
【請求項５】
前記血液吸引テスト用部材は、前記カートリッジ支持部から前記レバー部と平行に延出され、そのレバー部とは長さの異なる第２レバー部を備えており、この第２レバー部の後端部には、前記注射器本体の外表面に突出された第２操作部が設けられている請求項１から請求項４のいずれかに記載の注射器。
【発明の詳細な説明】
【技術分野】
【０００１】
本発明は、注射をする際に使用される血液吸引テスト用部材を備えた注射器に関し、特に歯科治療の局所麻酔注射で使用されるカートリッジタイプの注射器に好適な血液吸引テスト用部材を備えた注射器に関するものである。
【背景技術】
【０００２】
近年、歯科治療における局所麻酔注射では、麻酔薬の充填された薬液カートリッジの装填および離脱が可能であり、金属などの滅菌可能な材料により形成された再利用可能なカートリッジタイプの注射器が普及している。
【０００３】
一方、局所麻酔注射においては、麻酔薬を誤って血管内に注入しないようにするため、注射針での穿刺・刺入直後に、注射針の針先が血管内に刺入されていないかどうかを確認する血液吸引テストと呼ばれる確認テストが行われている。通常、この血液吸引テストは、薬液カートリッジの内部を何らかの方法で負圧にして、薬液カートリッジ内への血液の逆流がないかを確認することによって行われる。
【０００４】
血液吸引テストを行う機構の１つとして、吸引用ディスクを備えたカートリッジ式注射器が存在する（非特許文献１）。これは、注射針の穿刺・刺入後、フィンガーグリップ上部に設けられた吸引用ディスクによって、カートリッジ後端部を前方へ押圧することができる構造となっており、吸引用ディスクの押圧後に押圧力を開放することにより、カートリッジ頭部のラバー膜が押圧された反動で元の位置に戻ることを利用して、カートリッジ内を瞬間的に負圧にし血液の逆流がないかを確認するものである。
【０００５】
また、血液吸引テストを行う機構の異なるものとして、薬液カートリッジ内のラバーピストンを押動するためのプランジャーの一端に槍形状の吸引エレメントが固定されている注射器が存在する（特許文献１）。これは、吸引エレメントがラバーピストンを保持して復帰運動を行うため、ハンドルを引いて薬液カートリッジ全体を後退させることによって、血液吸引テストを行うものである。
【先行技術文献】
【特許文献】
【０００６】
【特許文献１】特表平１０−５１１０１６号公報
【非特許文献】
【０００７】
【非特許文献１】「スタンダード全身管理・歯科麻酔学第２版（２０１１年発行）」、株式会社学建書院、２２４頁
【発明の概要】
【発明が解決しようとする課題】
【０００８】
しかしながら、非特許文献１に開示されている吸引用ディスクを備えるカートリッジ式注射器を使用する場合には、血液吸引テストを行うために一度吸引用ディスクを前方へ押圧する必要があり、もし針先が血管内に刺入されている場合には、血液吸引テスト時に薬液カートリッジ内の薬液が微量ながら血管内へ注入されてしまうという問題がある。
【０００９】
また、特許文献１に開示されているプランジャーの一端に吸引エレメントを固定するような注射器の場合には、血液吸引テストを行うためにハンドルを引く必要があり、このハンドルは注射器の最後端に位置することから、注射針を穿刺・刺入するときのペンホールドの持ち手のままではハンドルを引くことができない。このため、血液吸引テストを行うには、一度注射器を持ち替えなければならず、非常に面倒であり操作性が悪く、熟練を要する。また、針先からの距離が遠いハンドルを使用して血液吸引テストを行うため、針先がぶれやすく正確性に欠ける。さらに、ハンドルは薬液を注入する際に先端方向に押動させるために使用される部分であることから、血液吸引テストの段階で、誤ってハンドルを前方へ押すことにより薬液を血管内へ注入してしまうおそれもある。
【００１０】
本発明は、このような問題点を解決するためになされたものであって、血管内に薬液を注入する危険性や血管及び神経を傷つける危険性が極めて少なく、安全かつ正確で迅速な血液吸引テストおよび注射を行うことができる注射器を提供することを目的としている。
【課題を解決するための手段】
【００１１】
本発明に係る注射器は、薬液カートリッジが装填される注射器本体と、注射針本体の先端側に設けられて注射針が取り付けられる注射針取付部と、注射針本体の後端側に設けられて薬液カートリッジ内のラバーピストンを押動するためのプランジャーおよびハンドルを備える注射器であって、注射器本体には、注射針が血管に刺入されていないかを確認する血液吸引テストを行うための血液吸引テスト用部材が装着されており、血液吸引テスト用部材は、注射器本体に装填された薬液カートリッジの前端部を支持するカートリッジ支持部と、カートリッジ支持部から薬液カートリッジの軸線方向に延出されたレバー部と、レバー部の後端部から注射器本体の外表面に突出され、薬液カートリッジを後方側に引くための操作部とを有する。
【００１２】
また、本発明の一態様として、血液吸引テスト用部材のカートリッジ支持部が、薬液カートリッジのカートリッジ頭部の前端面に当接する円形平板状に形成されており、その略中央部に挿通孔が形成されていることが好ましい。
【００１３】
また、本発明の一態様として、血液吸引テスト用部材のカートリッジ支持部が、薬液カートリッジのカートリッジ頭部とカートリッジ本体との間の首部に係止する鉤爪状あるいは二股状に形成されていてもよい。
【００１４】
また、本発明の一態様として、血液吸引テスト用部材は、レバー部の略中央から注射器本体の外表面に突出された中間操作部を有していてもよい。
【００１５】
さらに、本発明の一態様として、血液吸引テスト用部材は、カートリッジ支持部からレバー部と平行に延出され、そのレバー部とは長さの異なる第２レバー部を備えており、この第２レバー部の後端部には、注射器本体の外表面に突出された第２操作部が設けられていてもよい。
【発明の効果】
【００１６】
本発明の注射器によれば、注射針を穿刺・刺入した持ち手のまま引く操作のみで血液吸引テストを行うため、血管内に薬液を注入する危険性や血管及び神経を傷つける危険性が極めて少なく、安全かつ正確で迅速な血液吸引テストおよび注射を行うことができる。
【図面の簡単な説明】
【００１７】
【図１】本発明に係る注射器の第１実施形態と、注射針および薬液カートリッジを示す全体図である。
【図２】本第１実施形態のカートリッジ式注射器に薬液カートリッジと注射針を装着した状態を示す正面図である。
【図３】図２の点線部分の拡大縦断面図であって、（ａ）血液吸引テスト前の血液吸引テスト用部材の位置、（ｂ）血液吸引テスト時の血液吸引テスト用部材の位置、を示す図である。
【図４】図３（ｂ）のＸ円部分の拡大縦断面図であって、血液吸引テスト用部材のレバー部を嵌めるための溝を示す図である。
【図５】本第１実施形態に係る血液吸引テスト用部材であって、（ａ）レバー１本・操作部１箇所の実施形態、（ｂ）レバー１本・操作部２箇所の実施形態、（ｃ）レバー２本・操作部２箇所の実施形態を示す斜視図である。
【図６】本第１実施形態において、血液吸引テスト時のカートリッジ式注射器の使用態様を示す斜視図である。
【図７】本第１実施形態において、（ａ）血液吸引テスト前のカートリッジ式注射器、（ｂ）血液吸引テスト時のカートリッジ式注射器の使用態様を示す部分断面図である。
【図８】本発明に係る注射器の第２実施形態を示す斜視図である。
【発明を実施するための形態】
【００１８】
以下、本発明に係る注射器の実施形態について図面を用いて説明する。
【００１９】
本第１実施形態の注射器１Ａは、本発明に係る注射器をいわゆるカートリッジ式注射器１Ａに適用したものであり、図１乃至図２に示すように、主として、注射器本体２と、注射針取付部３と、プランジャー４と、ハンドル５と、フィンガーグリップ６と、血液吸引テストを行うための血液吸引テスト用部材７Ａとから構成される。以下、各構成部について詳細に説明する。なお、本発明において、カートリッジ式注射器１Ａは、本第１実施形態のような普及しているクラシックタイプに限定されるものではなく、ラチェット機構付き注射器や電動式注射器等のように、薬液カートリッジを装填可能な全ての注射器を含む概念である。
【００２０】
本第１実施形態に係るカートリッジ式注射器１Ａの注射器本体２の内部には、図１乃至図３に示すように、薬液カートリッジ８が装填されるカートリッジ装填部２１が設けられており、このカートリッジ装填部２１に薬液カートリッジ８を挿入するためのカートリッジ装填窓２２が形成されている。また、注射器本体２の外周面には、カートリッジ装填窓２２の反対側からも薬液カートリッジ８内の薬液量等を確認できるよう確認窓２３が形成されており、この確認窓２３から薬液カートリッジ８が脱落しないよう、確認窓２３はカートリッジ装填窓２２よりも小さく形成されている。
【００２１】
薬液カートリッジ８は、目的組織・部位に注入する薬液が充填された使い捨てのカートリッジであって、図１に示すように、薬液８１と、薬液８１が充填されるカートリッジ本体８２と、カートリッジ本体８２内に装着され、カートリッジ式注射器１Ａのプランジャー４によって押動されるラバーピストン８３と、開口したカートリッジ本体８２の蓋の役目をするカートリッジ頭部８４とから構成されている。また、本第１実施形態において、カートリッジ本体８２の先端には、カートリッジ頭部８４よりも縮径された首部８６が形成されている。なお、本第１実施形態に係るカートリッジ頭部８４の中央部分は、注射針９が貫通するためラバー膜８５によって形成され、それ以外の部分はアルミニウムによって形成されている。
【００２２】
注射針９は、薬液を注入するために目的組織・部位に穿刺・刺入される針であって、図１乃至図３に示すように、針部９１と基部９２とから構成されている。基部９２には、その先端に針部９１を挿通するための孔９３が形成されており、基部９２の内周面は、注射針取付部３と嵌合するように空間が形成されている。
【００２３】
本第１実施形態に係るカートリッジ式注射器１Ａの注射針取付部３は、図１乃至図３に示すように、使い捨て仕様の注射針９を着脱可能に取り付けるための取付部であり、注射針９を中心に挿通するための孔３１が設けられている。そして、注射針取付部３の先端には注射針９の基部９２と嵌合させるための円筒状の突出部３２が形成されている。また、この突出部３２とは反対側である注射針取付部３の注射器本体２側の内側中央には、図３に示すように、血液吸引テスト用部材７Ａを位置決めするための円筒状の突起３３が形成されている。そして、注射針取付部３の後端の内周面には、図３に示すように、注射器本体２の先端に形成された雄ねじ部２４と螺合するよう、雌ねじ部３４が形成されている。
【００２４】
本第１実施形態に係るカートリッジ式注射器１Ａのプランジャー４は、図１乃至図３に示すように、その先端部４１で薬液カートリッジ８のラバーピストン８３を前方へ押動するための部材であり、後端部には、プランジャー４を前方へ押し出すための略Ｔ字型のハンドル５が設けられている。
【００２５】
本第１実施形態に係るカートリッジ式注射器１Ａのフィンガーグリップ６は、図１乃至図２に示すように、ハンドル５を前方へ押して薬液８１を目的組織・部位に注入する際に、示指と中指で挟むようにして持つための部材であり、略Ｔ字型に形成されている。
【００２６】
本第１実施形態のカートリッジ式注射器１Ａの血液吸引テスト用部材７Ａは、図３乃至図５（ａ）に示すように、薬液カートリッジ収納部２１と薬液カートリッジ８との間に装着されるものであり、血液吸引テストの際にカートリッジ頭部８４を支持するためのカートリッジ支持部７１と、このカートリッジ支持部７１から薬液カートリッジ８のカートリッジ本体８２に沿うようにして、軸線方向に延出されたレバー部７２と、このレバー部７２の後端部から注射器本体２の外表面に突出され、指や爪を引っ掛けて薬液カートリッジ８を後方に引くための略Ｌ字型の操作部７３とから構成されている。
【００２７】
血液吸引テスト用部材７Ａのカートリッジ支持部７１は、図５（ａ）に示すように、カートリッジ頭部８４の前面に当接する円形平板状に形成されており、その略中心部に挿通孔７４が形成されている。図３（ａ）に示すように、この挿通孔７４は、注射針取付部３に設けられた円筒状の突起３３を挿通させるため、その直径は突起３３の外径よりも大きく形成されている。このように、注射針取付部３の円筒状の突起３３をカートリッジ支持部７１の挿通孔７４の中心軸と一致させることにより、円筒状の突起３３の外周面を血液吸引テスト用部材７Ａの可動方向のガイド面として利用することができ、血液吸引テストを行う際にスムーズに薬液カートリッジ８引き寄せることが可能となる。
【００２８】
カートリッジ装填部２１の内壁は、図３乃至図４に示すように、血液吸引テスト用部材７Ａを装着しても薬液カートリッジ８がカートリッジ装填部２１内でがたつくことがなくレバー部７２がぴったりと嵌るように、レバー部７２の幅と厚み程度の大きさの溝２６が形成されている。そして、注射器本体２の略中央の外周面上には、図１乃至図３に示すように、血液吸引テスト用部材７Ａの操作部７３を指や爪で操作することができるよう、注射器本体２の外部に操作部７３を突出させるための長方形状の窓２５が開口されている。
【００２９】
ここで、血液吸引テストを行う直前と、行っている最中における血液吸引用テスト部材７Ａおよび薬液カートリッジ８の位置を比較するため、血液吸引テストを行う直前の位置を図３（ａ）に示し、血液吸引テスト時の位置を図３（ｂ）に示す。血液吸引テストの際、後述するように、図３（ａ）の状態から、血液吸引テスト用部材７Ａの操作部７３をカートリッジ式注射器１Ａの軸方向に沿って後方に１ｍｍ程度引くため、図３（ｂ）に示すように、カートリッジ支持部７１が薬液カートリッジ８を全体的に１ｍｍ程度後退した位置に移動させる。
【００３０】
なお、本第１実施形態では、図５（ａ）に示すような１本のレバー部７２とその後端部に操作部７３が１箇所設けられた血液吸引テスト用部材７Ａを使用しているが、例えば図５（ｂ）に示すように、血液吸引テスト用部材７Ｂのレバー部７２の略中央から別途、注射器本体２の外表面に中間操作部７５を突出させることによって、操作部７３と中間操作部７５のいずれか使いやすい方を使用して血液吸引テストを行えるように構成してもよく、レバー部７２に設けられる操作部７３の位置・個数は本第１実施形態に限定されない。
【００３１】
そのほか、例えば図５（ｃ）に示すように、レバー部７２とは長さの異なる第２レバー部７６を対向させて設け、この第２レバー部の後端部から注射器本体２の外表面に第２操作部７７を突出させることによって、操作部７３と第２操作部７７のうちいずれか使いやすい方を使用して血液吸引テストを行えるように構成してもよく、レバー部７２の本数は本第１実施形態に限定されない。
【００３２】
また、本第１実施形態においては、薬液カートリッジ８を均等な力で安定的に後退させるため、血液吸引テスト用部材７Ａのカートリッジ支持部７１の形状は、挿通孔７４を有する円形平板状としている。しかしながら、血液吸引テストを行うために、カートリッジ頭部８４を引くことのできる形状であれば、たとえば単純な突起状や鉤爪状であってもよく、円形平板状に限定されない。
【００３３】
さらに、本第１実施形態においては、血液吸引テスト用部材７Ａのカートリッジ支持部７１は、カートリッジ頭部８４を支持するものとしたが、薬液カートリッジ８の前端を支持して後方に引くことができれば、例えば、カートリッジ頭部８４とカートリッジ本体８１との間の首部８６を支持する方法を採用してもよく、支持する部分は本第１実施形態に限定されない。なお、首部８６を支持する場合、カートリッジ支持部７１は首部８６に係止する鉤爪状あるいは首部８６を挟み込む二股状に形成すればよい。
【００３４】
また、本第１実施形態においては、カートリッジ式注射器１Ａの材質としてステンレススチールを用いたが、これに限定されるものではなく、カートリッジ式注射器として錆びにくく十分な剛性を有するものであれば、他の材料で構成しても良い。
【００３５】
つぎに、本第１実施形態におけるカートリッジ式注射器１Ａの作用について説明する。
【００３６】
まず、図１乃至図２に示すように、ハンドル５を後方いっぱいに引いた状態で薬液カートリッジ８を後部からカートリッジ式注射器１Ａのカートリッジ装填部２１に挿入し、ハンドル５を離すことで薬液カートリッジ８をカートリッジ式注射器１Ａに固定する。
【００３７】
つぎに、図１乃至図２に示すように、注射針９の針部９１の後端部を注射針取付部３に設けられた孔３１に挿通させ、カートリッジ頭部８４の中心部に設けられたラバー膜８５を貫通させて、薬液カートリッジ８内に針部９１を進入させる。そして、注射針９の基部９２を注射針取付部３の先端に設けられた円筒状の突出部３２と嵌合させることにより、注射針９をカートリッジ式注射器１Ａに固定する。
【００３８】
カートリッジ式注射器１Ａに薬液カートリッジ８および注射針９の取り付けが完了した後、カートリッジ式注射器１Ａのフィンガーグリップ６を示指と中指で挟んだ状態でハンドル５を前方へ押してプランジャー４の先端部４１で薬液カートリッジ８のラバーピストン８３を前方に押動し、薬液８１が針部９２の先端から２，３滴程度滴下することを確認する。その後、正確な位置に注射針９を穿刺・刺入するため、カートリッジ式注射器１Ａをペンホールドの持ち手に替えて注射針９を目的組織・部位に穿刺して刺入する。
【００３９】
注射針９を目的組織・部位まで刺入した後、注射針９の先端が血管１０内に刺入していないことを確認するため、血液吸引テストを行う。血液吸引テストは、図６に示すように、ペンホールドの持ち手のまま、血液吸引テスト用部材７Ａの操作部７３に指や爪を引っ掛けてカートリッジ式注射器１Ａの軸方向に沿って後方に１ｍｍ程度引くことで行われる。これにより、レバー部７２を介して引っ張られたカートリッジ支持部７１が、薬液カートリッジ８のカートリッジ頭部８４を後方へ押圧する。このため、薬液カートリッジ８が全体的に１ｍｍ程度後方に移動した分だけ薬液８１に浸っていた針部９２が抜けてその分の体積が減り、薬液カートリッジ８内がわずかに負圧状態となる。このとき、図７（ａ）に示すように、仮に注射針９の先端が血管１０内に刺入された状態で血液吸引テストを行うと、図７（ｂ）に示すように、微量の血液が逆流して薬液カートリッジ８内の薬液８１中に混入する。一方、注射針９の先端が血管１０内に刺入されていない場合には、薬液８１中に血液は逆流しない。このように、逆流する血液の有無により、注射針９が血管１０に刺入されているか否かの確認が行われる。
【００４０】
以上のように、注射針９を穿刺・刺入した持ち手のまま血液吸引テスト用部材７Ａを引く操作のみで血液吸引テストを行えるため、血管１０内に薬液８１を注入する危険性が極めて少なく、また、針先に近い位置で操作部７３を操作できるため、針先がぶれにくく、血管１０及び神経を傷つける危険性も極めて少なく、安全かつ正確で迅速な血液吸引テストを行うことができる。
【００４１】
また、本第１実施形態では、カートリッジ支持部７１の挿通孔７４が、注射針取付部３の突起３３の外周面に沿ってスムーズに摺動する。このため、カートリッジ支持部７１は、カートリッジ頭部８４を均等かつ確実に押動し、血液吸引テストの正確性を向上させる。
【００４２】
上述した血液吸引テストの結果、薬液８１中に血液が逆流しない場合、すなわち注射針９が血管１０に刺入されていない場合には、カートリッジ式注射器１Ａを持ち替え、フィンガーグリップ６を示指と中指とで挟んでハンドル５を押し、目的組織・部位へ薬液８１を注入する。
【００４３】
また、血液吸引テストの際、薬液８１中に血液が逆流した場合には、注射針９の先端位置が血管１０内に刺入しないよう再調整し、再度血液吸引テストを行って、血液が逆流していないことを確認した後、カートリッジ式注射器１Ａを持ち替えて、目的組織・部位へ薬液８１を注入する。このように、血液吸引テストにおいて、血液の逆流が認められた場合には、注射針９の先端位置を血管１０外へと再調整する必要があるが、本第１実施形態に係るカートリッジ式注射器１Ａを用いれば、注射針９を穿刺する段階から血液吸引テストを完了するまでカートリッジ式注射器１Ａを持ち替える必要がなく、正確で迅速な血液吸引テストをすることが可能となる。よって、注射による患者への負担が少なくて済むという利点を有する。
【００４４】
以上のような本第１実施形態のカートリッジ式注射器１Ａによれば、以下のような効果を奏する。
１．カートリッジ式注射器１Ａが、血液吸引テスト用部材７Ａ，７Ｂ，７Ｃを備えることにより、注射針９を目的組織・部位に穿刺・刺入した持ち手のまま、操作部７３，７５，７７を後方へ引いて血液吸引テストを行うため、カートリッジ式注射器１Ａを持ち替えることなく簡単かつ迅速に血液吸引テスト及び注射を行うことができる。
２．カートリッジ式注射器１Ａが、血液吸引テスト用部材７Ａ，７Ｂ，７Ｃを備えることにより、注射針９を目的組織・部位に穿刺・刺入した持ち手のまま、操作部７３，７５，７６を後方へ引いて血液吸引テストを行うため、針先がぶれにくく、血管及び神経を傷つける危険性が極めて少ない、正確で安全な血液吸引テストを行うことができる。
３．血液吸引テスト用部材７Ａ，７Ｂ，７Ｃはハンドル５と別部材であるため、血液吸引テストの際に、血管１０内に薬液８１を注入する危険性が極めて少なく、安全な血液吸引テストをすることができる。
４．血液吸引テスト用部材７Ｂ，７Ｃのように、１つのカートリッジ式注射器１Ａの異なる箇所に複数の操作部７３，７５，７７を設けることにより、使用者が使いやすい操作部７５，７５，７７を選択して血液吸引テストを行うことができる。
【００４５】
つぎに、本発明に係る注射器の第２実施形態について説明する。なお、本第２実施形態に係る注射器１Ｂの構成のうち、前述した第１実施形態と同一もしくは相当する構成は同一の符号を付し、再度の説明を省略する。 
【００４６】
第２実施形態の注射器１Ｂは、本発明に係る注射器を、シリンジ内に薬液を充填して使用するシリンジ式注射器１Ｂに適用したものであり、図８に示すように、主として、注射器本体２と、注射針取付部３と、プランジャー４と、ハンドル５と、フィンガーグリップ６と、血液吸引テストを行うための血液吸引テスト用部材７Ｄとから構成される。
【００４７】
本第２実施形態に係るシリンジ式注射器１Ｂは、薬液（図示せず）が充填された注射器本体２の内部において、プランジャー４の先端に設けられたゴム栓部４２で直接薬液を押圧する構成となっている。なお、本発明において、シリンジ式注射器１Ｂは、本第２実施形態のような使い捨てのプラスチック製注射器に限定されるものではなく、再利用可能なガラス製注射器等、注射器本体２内に薬液を充填して使用するタイプの注射器全てを含む概念である。
【００４８】
本第２実施形態に係るシリンジ式注射器１Ｂの血液吸引テスト用部材７Ｄは、図８に示すように、血液吸引テストの際にハンドル５を支持するためのハンドル支持部７８と、このハンドル支持部７８からフィンガーグリップ６に設けられた孔部６１を挿通し、さらに前方の軸線方向に延出されたレバー部７２と、このレバー部７２に一端が接続され注射器本体２の外周面に半周程度沿わせてなる操作部７３と、この操作部７３の他端から後方側の軸線方向に延出され、フィンガーグリップ６に設けられた孔部６２を挿通する脱落防止用レバー部７９とから構成されている。
【００４９】
つぎに、本第２実施形態におけるシリンジ式注射器１Ｂの作用について説明する。
【００５０】
薬液が充填されたシリンジ式注射器１Ｂのフィンガーグリップ６を示指と中指で挟んだ状態でハンドル５を前方へ押してプランジャー４先端のゴム栓部４２で薬液を押圧し、針部（図示せず）の先端から薬液が２，３滴程度滴下することを確認する。その後、正確な位置に注射針（図示せず）を穿刺・刺入するため、シリンジ式注射器１Ｂをペンホールドの持ち手に替えて注射針を目的組織・部位に穿刺して刺入する。
【００５１】
注射針を目的組織・部位まで刺入した後、注射針の先端が血管内に刺入していないことを確認するため、血液吸引テストを行う。血液吸引テストは、ペンホールドの持ち手のまま、血液吸引テスト用部材７Ｄの操作部７３に指や爪を引っ掛けてシリンジ式注射器１Ｂの軸方向に沿って後方に１ｍｍ程度引くことで行われる。これにより、レバー部７２を介して押動されたハンドル支持部７８が、ハンドル５を後方へ押圧してハンドル５がわずかに後方に移動する。このため、注射器本体２内において薬液が充填された空間の体積が増え、空間内がわずかに負圧状態となる。このとき、仮に注射針の先端が血管内に刺入された状態で血液吸引テストを行うと、微量の血液が逆流して注射器本体２内の薬液中に混入する。一方、注射針の先端が血管内に刺入されていない場合には、薬液中に血液は逆流しない。このように、逆流する血液の有無により、注射針が血管に刺入されているか否かの確認が行われる。
【００５２】
本第２実施形態に係るシリンジ式注射器１Ｂは、以上のような作用を奏する構成を有するから、本第１実施形態に係るカートリッジ式注射器１Ａと同様の効果を奏することができる。
【００５３】
なお、本発明に係る注射器は、前述した実施形態に限定されるものではなく、適宜変更することができる。
【００５４】
例えば、本発明に係る注射器は、特に歯科治療における局所麻酔注射に対して有用であるが、局所麻酔注射や歯科治療に限らず、血液吸引テストを行う必要のある身体の注射全般に対して適用することが可能である。
【符号の説明】
【００５５】
１Ａ  カートリッジ式注射器
１Ｂ  シリンジ式注射器
２  注射器本体
３  注射針取付部
４  プランジャー
５  ハンドル
６  フィンガーグリップ
７Ａ，７Ｂ，７Ｃ，７Ｄ  血液吸引テスト用部材
８  薬液カートリッジ
９  注射針
１０  血管
２１  カートリッジ装填部
２２  カートリッジ装填窓
２３  確認窓
２４  雌ねじ部
２６  溝
３１  孔
３２  突出部
３３  突起
３４  雄ねじ部
４１  先端部
４２  ゴム栓部
６１  孔部
６２  孔部
７１  カートリッジ支持部
７２  レバー部
７３  操作部
７４  挿通孔
７５  中間操作部
７６  第２レバー部
７７  第２操作部
７８  ハンドル支持部
７９  脱落防止用レバー部
８１  薬液
８２  カートリッジ本体
８３  ラバーピストン
８４  カートリッジ頭部
８５  ラバー膜
８６  首部
９１  針部
９２  基部
９３  孔
【図１】
0005386000.tif 000002
【図２】
0005386000.tif 000003
【図３】
0005386000.tif 000004
【図４】
0005386000.tif 000005
【図５】
0005386000.tif 000006
【図６】
0005386000.tif 000007
【図７】
0005386000.tif 000008
【図８】
0005386000.tif 000009